(57)【要約】【課題】  注目度の付与された複数の撮影画像のうちから、より容易に所望の画像を抽出しうる手段を提供する。【解決手段】  画像閲覧装置は、画像ファイルを複数取得する画像ファイル取得部と、現在位置取得部と、距離演算部と、注目度調整部と、表示制御部とを備える。上記の画像ファイルは、撮影画像の情報と、撮影画像の撮影位置に対応する撮影座標の情報と、撮影画像に付与された注目度を示す情報とを含む。現在位置取得部は、現在位置の座標の情報を取得する。距離演算部は、撮影座標および現在位置の座標を用いて、撮影位置から現在位置までの距離を求める。注目度調整部は、上記の距離に基づいて、撮影画像に付与された注目度に重み付けを行う。表示制御部は、重み付け後の注目度の大きさに応じて、撮影画像の情報を表示装置に出力する。【選択図】  図１
2011205518.tif 000002
【特許請求の範囲】
【請求項１】
撮影画像の情報と、前記撮影画像の撮影位置に対応する撮影座標の情報と、前記撮影画像に付与された注目度を示す情報とを含む画像ファイルを複数取得する画像ファイル取得部と、
現在位置の座標の情報を取得する現在位置取得部と、
前記撮影座標および前記現在位置の座標を用いて、撮影位置から現在位置までの距離を求める距離演算部と、
前記距離に基づいて、前記撮影画像に付与された前記注目度に重み付けを行う注目度調整部と、
前記重み付け後の注目度の大きさに応じて、前記撮影画像の情報を表示装置に出力する表示制御部と、
を備える画像閲覧装置。
【請求項２】
請求項１に記載の画像閲覧装置において、
前記注目度調整部は、撮影位置から現在位置までの距離が小さいほど、前記注目度への重み付けの値を大きくする画像閲覧装置。
【請求項３】
請求項１または請求項２に記載の画像閲覧装置において、
装置の現在方位を検出する方位検出部をさらに備え、
前記注目度調整部は、前記現在位置に対する前記撮影位置の方位と、前記現在方位との一致度が高いほど、前記注目度への重み付けの値を大きくする画像閲覧装置。
【請求項４】
請求項１から請求項３のいずれか１項に記載の画像閲覧装置において、
装置の仰角を検出する姿勢検出部をさらに備え、
前記画像ファイルは、撮影時の仰角の情報をさらに含み、
前記注目度調整部は、前記装置の仰角と前記撮影時の仰角との一致度が高いほど、前記注目度への重み付けの値を大きくする画像閲覧装置。
【請求項５】
請求項１から請求項４のいずれか１項に記載の画像閲覧装置において、
前記画像ファイルは、前記撮影画像を撮影したカメラの種類を示す情報をさらに含み、
前記注目度調整部は、前記カメラの種類に応じて、前記注目度への重み付けの値を変化させる画像閲覧装置。
【請求項６】
請求項１から請求項５のいずれか１項に記載の画像閲覧装置において、
前記画像ファイル取得部は、通信回線を介して外部の記憶装置から前記画像ファイルを取得する画像閲覧装置。
【請求項７】
被写体の像を撮像する撮像部を備え、
請求項１から請求項６のいずれか１項に記載の画像閲覧装置が組み込まれているカメラ。
【請求項８】
サーバと画像閲覧装置とを備えた画像閲覧システムであって、
前記サーバは、
撮影画像の情報と、前記撮影画像の撮影位置に対応する撮影座標の情報と、前記撮影画像に付与された注目度を示す情報とを含む画像ファイルを複数記憶する記憶部と、
前記画像閲覧装置と通信を行う通信部と、
制御部と、を有し、
前記画像閲覧装置は、
前記サーバと通信を行う通信部と、
現在位置の座標の情報を取得する現在位置取得部と、
表示制御部と、を有し、
前記サーバの前記制御部は、
前記画像閲覧装置から取得した前記現在位置の座標と前記撮影座標とを用いて、撮影位置から現在位置までの距離を求める距離演算部と、
前記距離に基づいて、前記撮影画像に付与された前記注目度に重み付けを行なう注目度調整部と、を含み、
前記画像閲覧装置の前記表示制御部は、前記重み付け後の注目度の大きさに応じて前記サーバから前記撮影画像の情報を取得し、取得した撮影画像の情報を表示装置に出力する画像閲覧システム。
【請求項９】
請求項８に記載の画像閲覧システムにおいて、
前記注目度調整部は、撮影位置から現在位置までの距離が小さいほど、前記注目度への重み付けの値を大きくする画像閲覧システム。
【請求項１０】
請求項８または請求項９に記載の画像閲覧システムにおいて、
前記撮影位置から前記現在位置までの距離が閾値以上である撮影画像が前記画像閲覧装置で表示出力されたときに、前記注目度調整部は表示出力された撮影画像の注目度の値を増加させる画像閲覧システム。
【請求項１１】
請求項８から請求項１０のいずれか１項に記載の画像閲覧システムにおいて、
前記画像閲覧装置は、装置の現在方位を検出する方位検出部をさらに有し、
前記注目度調整部は、前記現在位置に対する前記撮影位置の方位と、前記現在方位との一致度が高いほど、前記注目度への重み付けの値を大きくする画像閲覧システム。
【請求項１２】
請求項８から請求項１１のいずれか１項に記載の画像閲覧システムにおいて、
前記画像閲覧装置は、装置の仰角を検出する姿勢検出部をさらに有し、
前記画像ファイルは、撮影時の仰角の情報をさらに含み、
前記注目度調整部は、前記装置の仰角と前記撮影時の仰角との一致度が高いほど、前記注目度への重み付けの値を大きくする画像閲覧システム。
【請求項１３】
請求項８から請求項１２のいずれか１項に記載の画像閲覧システムにおいて、
前記画像ファイルは、前記撮影画像を撮影したカメラの種類を示す情報をさらに含み、
前記注目度調整部は、前記カメラの種類に応じて、前記注目度への重み付けの値を変化させる画像閲覧システム。
【請求項１４】
請求項８から請求項１３のいずれか１項に記載の画像閲覧システムにおいて、
前記画像閲覧装置は、被写体の像を撮像する撮像部を備えるカメラに組み込まれている画像閲覧システム。
【請求項１５】
コンピュータを、請求項８から請求項１４のいずれか１項に記載の画像閲覧システムのサーバとして機能させるプログラム。
【発明の詳細な説明】
【技術分野】
【０００１】
本発明は、画像閲覧装置、カメラ、画像閲覧システムおよびプログラムに関する。
【背景技術】
【０００２】
従来から、電子カメラで撮影された画像に対して注目度の情報を付与し、注目度の値を用いて撮影画像の分類を行う手法が提案されている（例えば、特許文献１参照）。
【先行技術文献】
【特許文献】
【０００３】
【特許文献１】特表２００９−５３３７６１号公報
【発明の概要】
【発明が解決しようとする課題】
【０００４】
膨大な数の撮影画像を分類する場合、ユーザが注目度の値のみに基づいて所望の画像を抽出することはなお困難であり、その改善が要望されていた。
【０００５】
上記事情に鑑み、注目度の付与された複数の撮影画像のうちから、より容易に所望の画像を抽出しうる手段を提供する。
【課題を解決するための手段】
【０００６】
一の態様の画像閲覧装置は、画像ファイルを複数取得する画像ファイル取得部と、現在位置取得部と、距離演算部と、注目度調整部と、表示制御部とを備える。上記の画像ファイルは、撮影画像の情報と、前記撮影画像の撮影位置に対応する撮影座標の情報と、撮影画像に付与された注目度を示す情報とを含む。現在位置取得部は、現在位置の座標の情報を取得する。距離演算部は、撮影座標および現在位置の座標を用いて、撮影位置から現在位置までの距離を求める。注目度調整部は、上記の距離に基づいて、撮影画像に付与された注目度に重み付けを行う。表示制御部は、重み付け後の注目度の大きさに応じて、撮影画像の情報を表示装置に出力する。
【０００７】
上記の一の態様において、注目度調整部は、撮影位置から現在位置までの距離が小さいほど、注目度への重み付けの値を大きくしてもよい。
【０００８】
上記の一の態様の画像閲覧装置は、装置の現在方位を検出する方位検出部をさらに備えていてもよい。また、注目度調整部は、現在位置に対する撮影位置の方位と、現在方位との一致度が高いほど、注目度への重み付けの値を大きくしてもよい。
【０００９】
上記の一の態様の画像閲覧装置は、装置の仰角を検出する姿勢検出部をさらに備えていてもよい。また、画像ファイルは、撮影時の仰角の情報をさらに含んでいてもよい。また、注目度調整部は、装置の仰角と撮影時の仰角との一致度が高いほど、注目度への重み付けの値を大きくしてもよい。
【００１０】
上記の一の態様の画像ファイルは、撮影画像を撮影したカメラの種類を示す情報をさらに含んでいてもよい。また、注目度調整部は、カメラの種類に応じて、注目度への重み付けの値を変化させてもよい。
【００１１】
上記の一の態様において、画像ファイル取得部は、通信回線を介して外部の記憶装置から画像ファイルを取得してもよい。
【００１２】
また、一の態様のカメラは、被写体の像を撮像する撮像部を備え、上記した一の態様の画像閲覧装置が組み込まれている。
【００１３】
また、上記した一の態様の画像閲覧装置の動作を、方法またはプログラムのカテゴリで表現する態様や、あるいはサーバと画像閲覧装置とを備えた画像閲覧システムとして表現する態様、上記の画像閲覧システムによる画像閲覧方法またはサーバのプログラムも、本発明の具体的態様として有効である。なお、上記のプログラムは、プログラムを記憶した記憶媒体の形式で表現されてもよい。
【発明の効果】
【００１４】
本発明によれば、注目度の付与された複数の撮影画像のうちから、ユーザはより容易に所望の画像を抽出しうる。
【図面の簡単な説明】
【００１５】
【図１】一実施形態の画像閲覧装置の構成例を示すブロック図
【図２】一実施形態での画像ファイルのデータ構造例を示す図
【図３】一実施形態の電子カメラでの再生モードの動作例を説明する流れ図
【図４】＃１０８で地図画像を用いた場合の表示例を示す図
【図５】他の実施形態での画像閲覧システムの構成例を示すブロック図
【図６】他の実施形態での画像閲覧システムの動作例を説明する流れ図
【発明を実施するための形態】
【００１６】
＜画像閲覧装置の構成例＞
図１は、一実施形態の画像閲覧装置の構成例を示すブロック図である。一実施形態では、画像閲覧装置が電子カメラに組み込まれた例を説明する。ここで、一実施形態の画像閲覧装置は、撮影画像の再生時において、電子カメラの現在位置等に応じて撮影画像を検索する機能を有している。
【００１７】
画像閲覧装置の一態様としての電子カメラ１は、撮像部１１と、画像処理部１２と、第１メモリ１３と、記録Ｉ／Ｆ１４と、モニタ１５と、通信Ｉ／Ｆ１６と、現在位置取得部１７と、方位検出部１８と、姿勢検出部１９と、ＣＰＵ２０と、第２メモリ２１と、操作部２２およびバス２３とを備える。ここで、画像処理部１２、第１メモリ１３、記録Ｉ／Ｆ１４、モニタ１５、通信Ｉ／Ｆ１６、ＣＰＵ２０および第２メモリ２１は、バス２３を介して相互に接続されている。また、現在位置取得部１７、方位検出部１８、姿勢検出部１９および操作部２２は、それぞれＣＰＵ２０と接続されている。
【００１８】
撮像部１１は、被写体の像を撮影することで撮影画像の画像信号を生成する撮影モジュールである。例えば、撮像部１１は、撮影レンズと、撮像素子と、信号処理回路とを含んでいる。また、撮像部１１の出力は、画像処理部１２に接続されている。
【００１９】
画像処理部１２は、撮影画像のデータに対して各種の画像処理（色補間処理、階調変換処理、輪郭強調処理、ホワイトバランス調整、色変換処理など）を施す。
【００２０】
第１メモリ１３は、画像処理の前工程や後工程で画像のデータを一時的に記憶するバッファメモリである。この第１メモリ１３は揮発性の記憶媒体であるＳＤＲＡＭで構成される。
【００２１】
記録Ｉ／Ｆ１４には、不揮発性の記憶媒体２４を接続するためのコネクタが形成されている。そして、記録Ｉ／Ｆ１４は、コネクタに接続された記憶媒体２４に対してデータの書き込み／読み込みを実行する。上記の記憶媒体２４は、ハードディスクや、半導体メモリを内蔵したメモリカードなどで構成される。なお、図１では記憶媒体２４の一例としてメモリカードを図示する。
【００２２】
ここで、一実施形態での記憶媒体２４は、複数の画像ファイルを記憶する。記憶媒体２４に記憶されている画像ファイルは、他の電子カメラで生成された画像ファイルを含んでいてもよい。
図２は、一実施形態での画像ファイルのデータ構造例を示している。一実施形態での画像ファイルは、例えば、Ｅｘｉｆ（Exchangeable image file format for digital still cameras）規格に準拠して生成される。この画像ファイルは、ヘッダ領域と、撮影画像を記録する画像記録領域とを有している。
【００２３】
画像ファイルのヘッダ領域には、撮影画像に関する付帯情報（撮影条件など）が記録される。例えば、ヘッダ領域には、撮影画像の撮影位置（撮影座標）を示す情報と、撮影画像に付与された注目度を示す情報と、撮影時の仰角の情報と、撮影画像を撮影したカメラの種類（カメラの機種）を示す情報とが記録される。なお、上記のヘッダ領域の情報のうち、Ｅｘｉｆ規格で定義のない情報は、メーカーノートのタグを利用して画像ファイル記録される。
【００２４】
また、上記の注目度は、撮影画像の重要度を客観的に評価するためのパラメータであって、撮影画像の重要度が高くなるほど注目度の値も高く設定される。一実施形態での注目度は、撮影時の撮影動作の内容や再生時の再生頻度に応じて設定される。
【００２５】
例えば、電子カメラ１のＣＰＵ２０は、撮影時のユーザの動作が以下の条件を満たすときに、注目度の値を通常の撮影時よりも高く設定する。一例として、撮影前の半押し時間が長く、かつ撮影時の連写枚数が少ない場合、ＣＰＵ２０は、「長い半押しの後に撮影された渾身の写真」であると判定して、通常の撮影画像よりも注目度を高く設定する。また、半押し時間が短く、かつ撮影時の連写枚数が多い場合、ＣＰＵ２０は、「偶然のシャッタチャンスに連写した写真」であると判定して、通常の撮影画像よりも注目度を高く設定する。
【００２６】
あるいは、ＣＰＵ２０は、撮影画像の再生回数を参照し、再生回数の多い画像ほど注目度の値を高く設定してもよい。
【００２７】
上記のように注目度を設定することで、例えば、性別／年齢／国籍／文化／言語などの異なる複数の撮影者によって撮影された画像が混在する場合や、撮影者は共通するが撮影時期が著しく異なる画像が混在する場合にも、各画像を客観的な基準で横断的に評価することが可能となる。
【００２８】
図１に戻って、モニタ１５は、ＣＰＵ２０の指示に応じて各種画像を表示する。一実施形態の例では、モニタ１５は、電子カメラ１の筐体背面に配置された液晶表示パネルで構成される。
【００２９】
通信Ｉ／Ｆ１６は、有線／無線の通信回線を介して、外部の電子機器とのデータ送受信を、公知の通信規格に準拠して実行する。例えば、通信Ｉ／Ｆ１６は、ＣＰＵ２０の制御により、通信回線を介して、外部の記憶装置２（例えば、Ｗｅｂサーバや、アドホックモードで無線接続された他の電子カメラ）から上記の画像ファイルを取得することもできる。
【００３０】
現在位置取得部１７は、電子カメラ１の現在位置の座標情報を取得する。一例として、現在位置取得部１７は、ＧＰＳ（Global Positioning System：全地球測位システム）による公知の測位装置で構成される。
【００３１】
方位検出部１８は、互いに直交する方向の地磁気成分を検出する３軸の磁気センサを有している。そして、方位検出部１８は、各磁気センサによる両方向の磁界検出値から、電子カメラ１が向いている現在の方位（現在方位）を検出する。一例として、電子カメラ１の方位は、例えば電子カメラ１の筐体正面に配置された撮影レンズの向く方位である。
【００３２】
姿勢検出部１９は、電子カメラ１の姿勢（電子カメラ１の撮影レンズ光軸を中心とする回転角や、電子カメラ１の撮影レンズ光軸の上下方向への仰角）の変化を検出する。例えば、姿勢検出部１９は、重力加速度（静的加速度）の計測に対応した公知の３軸加速度センサで構成される。
【００３３】
ＣＰＵ２０は、電子カメラ１の動作を統括的に制御するプロセッサである。例えば、撮影モードでのＣＰＵ２０は、ユーザの撮像指示に応じて、撮像部１１に撮影画像を撮影させるとともに、撮影画像を含む画像ファイルを生成する。このとき、ＣＰＵ２０は、ユーザの動作履歴に応じて撮影画像に注目度を付与する。また、再生モードでのＣＰＵ２０は、第２メモリ２１に格納されたプログラムの実行により、距離演算部２０ａ、注目度調整部２０ｂ、表示制御部２０ｃとしてそれぞれ機能する（距離演算部２０ａ、注目度調整部２０ｂ、表示制御部２０ｃの各動作は後述する）。
【００３４】
第２メモリ２１は、フラッシュメモリ等の不揮発性の記憶媒体で構成される。この第２メモリ２１には、ＣＰＵ２０によって実行されるプログラムが記憶される。このプログラムによる再生モードでの動作例については後述する。
【００３５】
操作部２２は、電子カメラ１に対する各種の入力をユーザから受け付ける。一例として、操作部２２は、レリーズ釦、十字状のカーソルキー、決定釦などを含む。
【００３６】
次に、図３の流れ図を参照しつつ、一実施形態の電子カメラでの再生モードの動作例を説明する。
【００３７】
ステップ＃１０１：ＣＰＵ２０は、再生対象となる撮影画像の画像ファイルを複数取得する。一例として、ＣＰＵ２０は、記録Ｉ／Ｆ１４を介して記憶媒体２４から画像ファイルを取得してもよく、通信Ｉ／Ｆ１６を介して外部の記憶装置２から画像ファイルを取得してもよい。
【００３８】
ステップ＃１０２：ＣＰＵ２０は、電子カメラ１の現在の状態を求める。具体的には、ＣＰＵ２０は、現在位置取得部１７から現在位置の座標情報を取得する。また、ＣＰＵ２０は、方位検出部１８から、電子カメラ１の現在方位の情報を取得する。また、ＣＰＵ２０は、姿勢検出部１９から、電子カメラ１の仰角の情報を取得する。
【００３９】
ステップ＃１０３：距離演算部２０ａは、各々の画像ファイルについて、撮影座標および現在位置の座標を用いて、撮影位置から現在位置までの距離を求める。
【００４０】
ステップ＃１０４：注目度調整部２０ｂは、＃１０３で求めた距離に基づいて、各々の撮影画像に付与された注目度に重み付けを行う。具体的には、＃１０４での注目度調整部２０ｂは、撮影位置から現在位置までの距離が小さいほど、注目度への重み付けの値を大きくする。
【００４１】
これにより、電子カメラ１の現在位置の近くで撮影された画像の注目度は、重み付け後において相対的に大きな値となる。一方、電子カメラ１の現在位置から離れた場所で撮影された画像は、重み付け後において注目度の値が相対的に小さくなる。
【００４２】
ステップ＃１０５：注目度調整部２０ｂは、電子カメラ１の現在方位を用いて、各々の撮影画像に付与された注目度の重み付けをさらに調整する。具体的には、＃１０５での注目度調整部２０ｂは、撮影座標および現在位置の座標を用いて、各々の画像ファイルについて現在位置に対する前記撮影位置の方位を求める。そして、注目度調整部２０ｂは、撮影位置の方位と現在方位との一致度が高いほど、注目度への重み付けの値を大きくする。
【００４３】
＃１０５での注目度調整部２０ｂは、一例として、現在方位を中心として±４５度の範囲に含まれる撮影画像は、注目度の重み付けを高く設定する。これにより、電子カメラ１を向けた方向に関連する撮影画像の注目度を相対的に高めることが可能となる。なお、注目度調整部２０ｂは、ユーザの設定に応じて＃１０５の処理を省略してもよい。
【００４４】
ステップ＃１０６：注目度調整部２０ｂは、電子カメラ１の仰角を用いて、各々の撮影画像に付与された注目度の重み付けをさらに調整する。具体的には、＃１０６での注目度調整部２０ｂは、撮影画像の撮影時の仰角と、電子カメラ１の現在の仰角とを比較する。そして、注目度調整部２０ｂは、両者の一致度が高いほど注目度への重み付けの値を大きくする。例えば、電子カメラ１を上に向けると、注目度調整部２０ｂは、同様の姿勢で撮影された画像の注目度の重み付けを高くする。よって、電子カメラ１の仰角の調整により、ユーザが所望する撮影画像を絞り込むことができる。なお、注目度調整部２０ｂは、ユーザの設定に応じて＃１０６の処理を省略してもよい。
【００４５】
ステップ＃１０７：注目度調整部２０ｂは、電子カメラ１の種類に応じて、各々の撮影画像に付与された注目度の重み付けをさらに調整する。＃１０７での注目度調整部２０ｂは、イメージフォーマットサイズが大きく、かつ光学系の性能の高い電子カメラで撮影された画像ほど注目度を高く設定する。
【００４６】
例えば、注目度調整部２０ｂは、電子カメラの製品カテゴリに着目し、一眼レフ型電子カメラによる撮影画像の注目度を最も高くする。そして、注目度調整部２０ｂは、コンパクト型電子カメラによる撮影画像、携帯電話のカメラモジュールによる撮影画像の順に、注目度の重み付けを低くしてゆく。これにより、高機能な電子カメラで撮影された画像を、優先的に抽出することもできる。なお、注目度調整部２０ｂは、ユーザの設定に応じて＃１０７の処理を省略してもよい。
【００４７】
ステップ＃１０８：表示制御部２０ｃは、＃１０４から＃１０７で重み付けされた後の各撮影画像の注目度を用いて、撮影画像の検索結果をモニタ１５に表示する。例えば、表示制御部２０ｃは、撮影画像のサムネイル（縮小画像）を注目度の高い順に一覧表示してもよい（この場合の一覧表示の図示は省略する）。
【００４８】
また、表示制御部２０ｃは、重み付け後の注目度の高い順に抽出された撮影画像を、地図画像上にマッピングして表示してもよい。図４は、＃１０８で地図画像を用いた場合の表示例を示している。この場合、表示制御部２０ｃは、撮影画像に対応するサムネイル画像を、地図画像上で撮影位置にそれぞれ配置する。また、表示制御部２０ｃは、地図画像上に電子カメラ１の現在位置および向きを示すアイコンを表示する。これにより、ユーザは、撮影画像の撮影位置と現在位置との関係を容易に把握できる。なお、ユーザからサムネイル画像の詳細表示操作を受け付けると、表示制御部２０ｃは、モニタ１５上に撮影画像を拡大表示する（拡大表示状態の図示は省略する）。
【００４９】
ここで、図４の地図画像を用いた表示例において、注目度調整部２０ｂは、地図の縮尺に連動して注目度の重み付けを変化させるようにしてもよい。例えば、縮尺の大きい地図（詳細地図）に撮影画像を対応づける場合、注目度調整部２０ｂは、重み付けを高める距離の値を非常に小さくする。これにより、表示制御部２０ｃは、詳細地図に対応する撮影画像を優先的に抽出するようになる。一方、縮尺の小さい地図（広域地図）に撮影画像を対応づける場合、注目度調整部２０ｂは、重み付けを高める距離の値を詳細地図の場合よりも大きくする。また、広域地図に撮影画像を対応づける場合、表示制御部２０ｃは、重み付け後の注目度が所定閾値より大きい撮影画像のみをサムネイル画像によりモニタ１５上で表示する。これにより、モニタ１５には、地図のサイズに相応する数のサムネイル画像が注目度に応じて表示されるので、ユーザの利便性が向上する。
【００５０】
なお、一実施形態での表示制御部２０ｃは、ユーザの指定操作に応じて、現在位置から撮影位置が離れた撮影画像を再生表示することもできる。
【００５１】
ステップ＃１０９：ＣＰＵ２０は、再生モード終了指示を受け付けたか否かを判定する。上記要件を満たす場合（ＹＥＳ側）には、ＣＰＵ２０は再生モードの動作を終了させる。一方、上記要件を満たさない場合（ＮＯ側）には、ＣＰＵ２０は＃１１０に処理を移行させる。
【００５２】
ステップ＃１１０：ＣＰＵ２０は、電子カメラ１の現在位置、現在の方位、姿勢の情報をそれぞれ再取得するとともに、これらの状態に変化があるか否かを判定する。状態に変化がある場合（ＹＥＳ側）には、ＣＰＵ２０は＃１０３に戻って上記動作を繰り返す。
【００５３】
一方、状態に変化がない場合（ＮＯ側）には、ＣＰＵ２０は＃１０９に戻って上記動作を繰り返す。以上で、図３の流れ図の説明を終了する。
【００５４】
一実施形態の電子カメラ１は、撮影画像の撮影位置から現在位置までの距離に基づいて、上記の距離が近いほど注目度の重み付けを高くして、優先的にモニタ１５に表示されるようにする。これにより、注目度が付与された複数の撮影画像のうちから、現在位置等に関連する撮影画像をユーザがより容易に抽出できる。
【００５５】
＜画像閲覧システムの構成例＞
図５は、一実施形態の変形例として、他の実施形態での画像閲覧システムの構成例を示すブロック図である。画像閲覧システムは、画像閲覧装置としての電子カメラ１と、サーバ３とを有している。この画像閲覧システムでは、撮影画像のデータをサーバ３が画像閲覧装置に提供する。また、画像閲覧装置から取得した現在位置の情報等に基づいて、サーバ３が撮影画像の注目度に重み付けを行う。
【００５６】
ここで、他の実施形態での電子カメラ１は、距離演算部（２０ａ）、注目度調整部（２０ｂ）の各機能がＣＰＵ２０にない点を除いて上記の一実施形態と構成が共通する。そのため、他の実施形態において、上記した一実施形態と共通の構成要素には同一符号を付して重複説明を省略する。
【００５７】
一方、サーバ３は、記憶部３１と、通信部３２と、制御部３３と、プログラムを記憶するフラッシュメモリ３４とを有している。記憶部３１、通信部３２およびフラッシュメモリ３４は、いずれも制御部３３と接続されている。記憶部３１には、一実施形態と同様の画像ファイルが複数記憶されている。また、通信部３２は、通信回線を介して、画像閲覧装置とのデータの送受信を実行する。
【００５８】
また、制御部３３は、サーバ３の統括的な制御を実行する。なお、制御部３３は、フラッシュメモリ３４に記憶されたプログラムの実行により、距離演算部３３ａおよび注目度調整部３３ｂとしてそれぞれ機能する。
【００５９】
次に、図６の流れ図を参照しつつ、他の実施形態での画像閲覧システムの動作例を説明する。図６の流れ図の処理は、画像閲覧システムによる情報提供の開始指示が電子カメラ１側で入力されたときに開始される。
【００６０】
ステップ＃２０１：電子カメラ１のＣＰＵ２０は、電子カメラ１の現在の状態（現在位置、現在の方位、姿勢）を求める。なお、＃２０１の処理は、図３の＃１０２の処理に対応するので重複説明は省略する。
【００６１】
ステップ＃２０２：電子カメラ１のＣＰＵ２０は、通信Ｉ／Ｆ１６を介して、サーバ３に対して撮影画像の取得要求を送信する。このとき、ＣＰＵ２０は、電子カメラ１の現在位置、現在の方位、姿勢の各情報（＃２０１）をサーバ３に対して送信する。
【００６２】
ステップ＃２０３：撮影画像の取得要求（＃２０２）を受信すると、サーバ３の制御部３３は、処理対象となる撮影画像の画像ファイルを記憶部３１から読み込んで取得する。
【００６３】
ステップ＃２０４：サーバ３の距離演算部３３ａは、各々の画像ファイル（＃２０３）について、撮影座標および電子カメラ１の現在位置の座標を用いて、撮影位置から電子カメラ１の現在位置までの距離を求める。
【００６４】
ステップ＃２０５：サーバ３の注目度調整部３３ｂは、＃２０４で求めた距離に基づいて、各々の撮影画像に付与された注目度に重み付けを行う。なお、＃２０５の処理は、図３の＃１０４の処理に対応するので重複説明は省略する。
【００６５】
ステップ＃２０６：サーバ３の注目度調整部３３ｂは、電子カメラ１の現在方位を用いて、各々の撮影画像に付与された注目度の重み付けをさらに調整する。なお、＃２０６の処理は、図３の＃１０５の処理に対応するので重複説明は省略する。
【００６６】
ステップ＃２０７：サーバ３の注目度調整部３３ｂは、電子カメラ１の仰角を用いて、各々の撮影画像に付与された注目度の重み付けをさらに調整する。なお、＃２０７の処理は、図３の＃１０６の処理に対応するので重複説明は省略する。
【００６７】
ステップ＃２０８：サーバ３の注目度調整部３３ｂは、電子カメラ１の種類に応じて、各々の撮影画像に付与された注目度の重み付けをさらに調整する。なお、＃２０８の処理は、図３の＃１０７の処理に対応するので重複説明は省略する。
【００６８】
ステップ＃２０９：サーバ３の制御部３３は、＃２０５から＃２０８で重み付けされた後の注目度が高い順に、撮影画像のデータを電子カメラ１に送信する。
【００６９】
ステップ＃２１０：電子カメラ１の表示制御部２０ｃは、サーバ３から受信した撮影画像をモニタ１５に表示する。なお、＃２１０の処理は、図３の＃１０８の処理に対応するので重複説明は省略する。
【００７０】
ステップ＃２１１：電子カメラ１のＣＰＵ２０は、電子カメラ１の現在位置、現在の方位、姿勢の情報をそれぞれ再取得するとともに、これらの状態に変化があるか否かを判定する。状態に変化がある場合（ＹＥＳ側）には、ＣＰＵ２０は＃２０２に戻って上記動作を繰り返す。一方、状態に変化がない場合（ＮＯ側）には、ＣＰＵ２０は＃２１２に処理を移行させる。
【００７１】
なお、＃２０８の処理で、ユーザの指定操作に応じて撮影画像を再生する場合には、上記と同様に＃２０２に戻って、ＣＰＵ２０はサーバ３に対して撮影画像の送信を要求する。
【００７２】
ステップ＃２１２：電子カメラ１のＣＰＵ２０は、画像閲覧の終了指示を受け付けたか否かを判定する。上記要件を満たす場合（ＹＥＳ側）には、ＣＰＵ２０は＃２１３に処理を移行させる。一方、上記要件を満たさない場合（ＮＯ側）には、ＣＰＵ２０は＃２１１に戻って上記動作を繰り返す。
【００７３】
ステップ＃２１３：電子カメラ１のＣＰＵ２０は、情報提供の終了指示をサーバ３に対して送信する。その後、電子カメラ１側の処理が終了する。
【００７４】
ステップ＃２１４：情報提供の終了指示を受信すると、サーバ３の注目度調整部３３ｂは、今回送信した撮影画像の注目度の初期設定値（重み付け前の値）を変更する。例えば、注目度調整部３３ｂは、電子カメラ１に送信した撮影画像の注目度の初期設定値を送信回数に比例して増加させる。これにより、閲覧頻度の高い画像の注目度がより増加し、多くのユーザが注目する画像がより抽出されやすくなる。また、撮影位置から電子カメラ１の現在位置までの距離が閾値以上である撮影画像が電子カメラ１で表示出力されるときには、注目度調整部３３ｂは、撮影画像の注目度の初期設定値を、撮影位置の近傍で表示出力された場合と比べて大きく増加させてもよい。撮影位置から遠く離れた場所で参照される撮影画像は、ユーザの関心が高い画像であるとみなせるからである。以上で、図６の流れ図の説明を終了する。
【００７５】
上記した他の実施形態の画像閲覧システムの構成によっても、上記の一実施形態の画像閲覧装置とほぼ同様の効果を得ることができる。
【００７６】
＜実施形態の補足事項＞
（１）上記実施形態では、画像閲覧装置を電子カメラ１に組み込む例を説明した。しかし、本発明の画像閲覧装置は、画像閲覧機能を有する他の電子機器（フォトビューア、携帯電話、ヘッドマウントディスプレイ等）に広く応用できる。
【００７７】
（２）上記実施形態において、電子カメラ１のＣＰＵ２０により実行されるプログラムは、バージョンアップなどで更新されるファームウエアプログラムであってもよい。すなわち、電子カメラ１のファームウエアプログラムを更新することで、本発明の画像閲覧装置の機能を提供してもよい。なお、画像閲覧装置が電子カメラ以外のデバイス（フォトビューアや携帯電話など）である場合には、上記実施形態の再生モードのプログラムを、別売りのアプリケーションプログラムとして提供してもよい。
【００７８】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００７９】
１…電子カメラ、２…記憶装置、３…サーバ、１１…撮像部、１２…画像処理部、１３…第１メモリ、１４…記録Ｉ／Ｆ、１５…モニタ、１６…通信Ｉ／Ｆ、１７…現在位置取得部、１８…方位検出部、１９…姿勢検出部、２０…ＣＰＵ、２１…第２メモリ、２２…操作部、２３…バス、２４…記憶媒体、３１…記憶部、３２…通信部、３３…制御部、３４…フラッシュメモリ、２０ａ，３３ａ…距離演算部、２０ｂ，３３ｂ…注目度調整部、２０ｃ…表示制御部
【図１】
2011205518.tif 000003
【図２】
2011205518.tif 000004
【図３】
2011205518.tif 000005
【図４】
2011205518.tif 000006
【図５】
2011205518.tif 000007
【図６】
2011205518.tif 000008